(57)【要約】  本発明は、乳幼児に液体を経口的に与えるための乳幼児哺乳システム（１００）を提供する。乳幼児哺乳システムは、ユーザインタフェース（２０２）を含む。乳幼児哺乳システムは、少なくとも１つの物理的特性を測定するための少なくとも１つのセンサ（２１２、２１２’、２１２’’、２１２’’’）をさらに含む。乳幼児哺乳システムは、機械実行可能命令（２３０）を格納するためのメモリ（２１６、２１６’、２１６’’）をさらに含む。乳幼児哺乳システムは、プロセッサ（２０８、２０８’、２０８’’）をさらに含む。機械実行可能命令の実行が、プロセッサに：少なくとも１つのセンサを用いて少なくとも１つの物理的特性を測定することによって、哺乳データ（２３４）を取得させ（３００）；哺乳データベース（２４６）まで哺乳データを送信させ（３０２）；ユーザインタフェース（２０２）から、哺乳条件を記述しているユーザ応答（２４０）を受信させ（３０４）；ユーザ応答を含む状況データ（２４８）を哺乳データベースまで送信させ（３０６）；状況データ及び哺乳データに応答した哺乳データベースからの指示データ（２４２）を受信させ（３０８）；さらに、指示データを使用して、ユーザインタフェース上に哺乳指示（２４３、２４３’、２４３’’、２４３’’’、２４３’’’’、２４３’’’’’）を出力させる（３１０）。
2019514527.tif 000002
【特許請求の範囲】
【請求項１】
乳幼児に液体を経口的に与えるための乳幼児哺乳システムであって、
−  ユーザインタフェースと、
−  少なくとも１つの物理的特性を測定するための少なくとも１つのセンサと、
−  機械実行可能命令を格納するためのメモリと、
−  プロセッサと、
を含み、前記機械実行可能命令の実行が、前記プロセッサに、
前記少なくとも１つのセンサを用いて前記少なくとも１つの物理的特性を測定することによって、哺乳データを取得させ、
哺乳データベースまで前記哺乳データを送信させ、
ユーザインタフェースから、哺乳条件を記述しているユーザ応答を受信させ、
前記ユーザ応答を含む状況データを前記哺乳データベースまで送信させ、
前記状況データ及び前記哺乳データに応答した前記哺乳データベースからの指示データを受信させ、
前記指示データを使用して、前記ユーザインタフェース上に哺乳指示を出力させ、
前記哺乳データに応答した前記哺乳データベースからの状況データ要求を受信させ、
前記状況データ要求の受信に応答して、前記ユーザインタフェース上に質問票を表示させ、
前記ユーザ応答は、前記ユーザインタフェース上の前記質問票の表示に応答して受信される、乳幼児哺乳システム。
【請求項２】
前記哺乳データベースは、前記状況データ及び前記哺乳データと共にパターン認識アルゴリズムを使用して、予め生成された指示データ要素から前記指示データを選択するように構成されている、請求項１に記載の乳幼児哺乳システム。
【請求項３】
前記パターン認識アルゴリズムは、学習済みニューラルネットワーク、決定木、エキスパートシステム及びクラスターアルゴリズムのうちのいずれか１つである、請求項２に記載の乳幼児哺乳システム。
【請求項４】
前記少なくとも１つのセンサは、前記液体の温度を測定する温度センサ、前記乳幼児哺乳システムの向きを測定する加速度計センサ、周囲光レベルを測定する環境光センサ、周囲音レベルを測定する環境音センサ、前記液体の重さを測定する力センサ及びその組み合わせのうちのいずれか１つを含む、請求項１乃至３のいずれか一項に記載の乳幼児哺乳システム。
【請求項５】
前記機械実行可能命令の実行はさらに、前記プロセッサに、前記哺乳データが取得される取得期間を決定させ、前記取得期間は、前記少なくとも１つのセンサにより測定されたデータに少なくとも１つの所定の基準を適用することによって決定される、請求項４に記載の乳幼児哺乳システム。
【請求項６】
前記少なくとも１つのセンサは前記加速度計センサを含み、前記命令の実行はさらに、前記プロセッサに、前記加速度計センサを使用して活動プロファイルを決定させ、前記状況データは、前記哺乳データを取得する前の第１の所定の時間範囲内の前記活動プロファイルを含み、前記第１の所定の時間範囲は、前記取得期間前である、請求項５に記載の乳幼児哺乳システム。
【請求項７】
前記少なくとも１つのセンサは前記環境音センサを含み、前記命令の実行はさらに、前記プロセッサに、前記環境音センサを使用してノイズプロファイルを決定させ、前記状況データは、前記哺乳データを取得する前の第２の所定の時間範囲内の前記ノイズプロファイルを含み、前記第２の所定の時間範囲は、前記取得期間前である、請求項５又は６に記載の乳幼児哺乳システム。
【請求項８】
前記少なくとも１つのセンサは前記環境光センサを含み、前記命令の実行はさらに、前記プロセッサに、前記環境光センサを使用して周囲光プロファイルを決定させ、前記状況データは、前記哺乳データを取得する前の第３の所定の時間範囲内の前記周囲光プロファイルを含む、請求項５、６又は７に記載の乳幼児哺乳システム。
【請求項９】
前記ユーザインタフェースを含むハンドヘルドのテレコミュニケーション装置を含む、請求項１乃至８のいずれか一項に記載の乳幼児哺乳システム。
【請求項１０】
前記哺乳データベースをさらに含む、請求項１乃至９のいずれか一項に記載の乳幼児哺乳システム。
【請求項１１】
前記プロセッサは、ネットワーク接続を介して前記哺乳データベースに前記哺乳データを送信し、前記プロセッサは、前記ネットワーク接続を介して前記哺乳データベースに前記状況データを送信し、前記プロセッサは、前記ネットワーク接続を介して前記哺乳データベースから前記指示データを受信する、請求項１乃至１０のいずれか一項に記載の乳幼児哺乳システム。
【請求項１２】
前記液体を保持するための一体化されたボトル、又は、前記液体を保持するための外部ボトルを保持するためのボトル受け器をさらに含む、請求項１乃至１１のいずれか一項に記載の乳幼児哺乳システム。
【請求項１３】
乳幼児哺乳システムの作動方法であって、前記乳幼児哺乳システムは、乳幼児に液体を経口的に与えるように構成され、前記乳幼児哺乳システムは、ユーザインタフェース、少なくとも１つの物理的特性を測定するための少なくとも１つのセンサを含み、前記作動方法は、
−  前記少なくとも１つのセンサを用いて前記少なくとも１つの物理的特性を測定することによって、哺乳データを取得するステップと、
−  哺乳データベースに前記哺乳データを送信するステップと、
−  ユーザインタフェースから、哺乳条件を記述しているユーザ応答を受信するステップと、
−  前記ユーザ応答を含む状況データを前記哺乳データベースに送信するステップと、
−  前記状況データ及び前記哺乳データに応答した前記哺乳データベースからの指示データを受信するステップと、
−  前記指示データを使用して、前記ユーザインタフェース上に哺乳指示を出力するステップと、
−  前記哺乳データに応答した前記哺乳データベースからの状況データ要求を受信するステップと、
−  前記状況データ要求の受信に応答して、前記ユーザインタフェース上に質問票を表示するステップと、
を含み、前記ユーザ応答は、前記ユーザインタフェース上の前記質問票の表示に応答して受信される、作動方法。
【請求項１４】
乳幼児に液体を経口的に与えるための乳幼児哺乳システムを制御するプロセッサによる実行のための機械実行可能命令を含むコンピュータプログラムであって、前記乳幼児哺乳システムは、ユーザインタフェース、及び、少なくとも１つの物理的特性を測定するための少なくとも１つのセンサを含み、前記機械実行可能命令の実行が、前記プロセッサに、
前記少なくとも１つのセンサを用いて前記少なくとも１つの物理的特性を測定することによって、哺乳データを取得させ、
哺乳データベースまで前記哺乳データを送信させ、
ユーザインタフェースから、哺乳条件を記述しているユーザ応答を受信させ、
前記ユーザ応答を含む状況データを前記哺乳データベースまで送信させ、
前記状況データ及び前記哺乳データに応答した前記哺乳データベースからの指示データを受信させ、
前記指示データを使用して、前記ユーザインタフェース上に哺乳指示を出力させ、
前記哺乳データに応答した前記哺乳データベースからの状況データ要求を受信させ、
前記状況データ要求の受信に応答して、前記ユーザインタフェース上に質問票を表示させ、
前記ユーザ応答は、前記ユーザインタフェース上の前記質問票の表示に応答して受信される、コンピュータプログラム。
【発明の詳細な説明】
【技術分野】
【０００１】
本発明は、乳幼児の哺乳に関し、特に、乳幼児の保育者のための訓練システムに関する。
【背景技術】
【０００２】
乳幼児には、哺乳瓶を用いた哺乳を行うことができる。哺乳瓶は、典型的には、流体を含有するためのボトル又は容器、次に、乳幼児が流体を飲むことを可能にする合成乳首を含む。種々の液体を哺乳瓶の中に入れて乳幼児に与えることができる。種々の液体には、水、調合乳、小児用電解質溶液及びミルクが含まれる。
【０００３】
特許文献１は、乳幼児哺乳能力を測定するための装置、システム及び方法を開示している。この装置は、本体部分と、圧力センサと、集積回路とを含む。本体部分には、流体を受けるための第１の端部、哺乳用乳首とかみ合い可能な第２の端部、及び、第１の端部及び第２の端部と流体連通する導管が含まれる。圧力センサは、本体部分に配置され、導管内の流体と接触し、哺乳期間の間に導管を通過する流体の圧力を表す信号を生成する。集積回路は、本体部分に配置され、圧力センサに電気的に接続される。集積回路は、圧力信号を受信し、乳幼児哺乳能力を示す哺乳期間にわたる哺乳因子を決定する。
【０００４】
特許文献２は、液体消費装置を使用する方法を開示している。この方法は、コンピュータ計算システムを使用してユーザのパラメータに基づきユーザに対する水分補給計画を決定するステップと、時間の経過に伴いコンピュータ計算システムにて液体消費装置からデータを受信するステップと、時間の経過に伴い受信したデータを集計して、ユーザの液体消費を追跡するステップと、集計されたデータ及び決定された水分補給計画に基づき、ユーザが閾値の水分補給レベルの範囲外であるかどうかを同定するステップとを含む。
【先行技術文献】
【特許文献】
【０００５】
【特許文献１】国際出願第２００９／１３２３３４号
【特許文献２】米国特許出願第２０１５／０２４３４９号
【発明の概要】
【０００６】
本発明は、独立請求項において、乳幼児哺乳システム、乳幼児哺乳システムの作動方法、及び機械実行可能命令を含むコンピュータプログラムを提供する。実施形態が、従属請求項において与えられている。
【０００７】
複数の例が、乳幼児へのより良い哺乳方法について保育者を教育するために使用することができる乳幼児哺乳システムを提供し得る。乳幼児哺乳システムは、乳幼児に液体を経口的に与えるように構成されてもよい。乳幼児の哺乳中、センサが、哺乳中の物理的特性を記述する哺乳データを取得するために使用される。このデータを、哺乳データベースに格納することができる。哺乳中に取得された哺乳（センサ）データに加えて、状況データもデータベースに格納される。状況データは、様々な哺乳条件を記述してもよく、及び／又は、収集された哺乳データに状況を加えるメタデータを含有してもよい。例えば、乳幼児への哺乳を行う人物を記述するデータを収集することができる。状況データはまた、哺乳データを取得した際の条件の記述も含有し得る。
【０００８】
従って、状況データも、データベースに格納される。状況データも哺乳データも使用して、乳幼児への哺乳における傾向及び／又は問題を同定することができる。哺乳データと状況データとの組み合わせを使用して、哺乳指示としてユーザに出力することができる指示データを選択することができる。哺乳指示は、ユーザにとっていくつかの利点を有し得る。例えば、哺乳指示は、保育者による哺乳及び／又は乳幼児の健康を改善するために使用されてもよい。哺乳指示を受け取ることはまた、保育者が乳児への哺乳を適切に行っているという自信を高める等、主観的な利点を有し得る。
【０００９】
一態様では、本発明は、乳幼児に液体を経口的に与えるための乳幼児哺乳システムを提供する。言い換えると、乳幼児システムは、乳幼児の口を介して乳幼児に液体を与えるために使用されてもよい。乳幼児哺乳システムは、ユーザインタフェースを含む。乳幼児哺乳システムは、少なくとも１つの物理的特性を測定するための少なくとも１つのセンサをさらに含む。乳幼児哺乳システムは、機械実行可能命令を格納するためのメモリをさらに含む。乳幼児哺乳システムは、プロセッサをさらに含む。機械実行可能命令の実行が、プロセッサに、少なくとも１つのセンサを用いて少なくとも１つの物理的特性を測定することによって、哺乳データを取得させる。機械実行可能命令の実行はさらに、プロセッサに、哺乳データベースまで哺乳データを送信させる。
【００１０】
機械実行可能命令の実行はさらに、プロセッサに、哺乳条件を記述しているユーザ応答をユーザインタフェースから受信させる。機械実行可能命令の実行はさらに、プロセッサに、哺乳データベースまで状況データを送信させる。状況データベースはユーザ応答を含む。機械実行可能命令の実行はさらに、プロセッサに、状況データ及び哺乳データに応答した哺乳データベースからの指示データを受信させる。機械実行可能命令の実行はさらに、プロセッサに、指示データを使用して、ユーザインタフェース上に哺乳指示を出力させる。この実施形態は、状況データを加えることにより、哺乳が行われている乳幼児に対してより正確に又はより適切に指示データが選択されることが可能になるという利点を有し得る。
【００１１】
機械実行可能命令の実行はさらに、プロセッサに、哺乳データに応答した哺乳データベースからの状況データ要求を受信させる。機械実行可能命令の実行はさらに、プロセッサに、状況データ要求の受信に応答して、ユーザインタフェース上に質問票を表示させる。ユーザ応答は、ユーザインタフェース上の質問票の表示に応答して受信される。この実施形態では、哺乳データベースに送信されているデータを使用して状況データを選択することができる。例えば、センサ測定値の特性又は群が、乳児に哺乳が行われている方法に差があるということを示している場合、乳幼児に哺乳を行っている人物に質問する質問票を表示して、なぜそのデータはそこまで異なっているのかを発見することには価値があり得る。例えば、質問票は、乳幼児に哺乳を行っている人物に、その人の身元又は所在の変更に関して質問してもよい。他の例では、乳幼児に通常とは根本的に異なる時間に哺乳が行われているかどうかを問いてもよい。この実施形態は、急いで、且つ、哺乳データベースによって受信される特定の哺乳データに応答して、質問票のカスタマイズを行うことを可能にし得るため、有益であり得る。
【００１２】
異なる例におけるユーザインタフェースは、異なる形態をとり得る。一例では、乳幼児への哺乳を行っている人物から音声コマンド又はデータを受信するオーディオシステムであってもよい。他の例では、ユーザインタフェースは、例えば、タッチスクリーン又はグラフィカルユーザインタフェースであってもよい。例えば、乳幼児哺乳システムは、スマートフォン又は他のハンドヘルドの携帯型コンピュータシステムを含むか又は組み込むことができる。他の例では、処理能力は、乳幼児哺乳システム自体の中に位置する。ユーザ応答の形態のユーザインタフェースから受け取ったデータの組み合わせは、乳幼児の哺乳の状況を提供する。例えば、状態又は哺乳を行っている人物又は乳幼児に与えられている実際の液体に関する様々な質問が提供されてもよい。
【００１３】
異なる例では、哺乳指示の出力は異なる方法で行われてもよい。哺乳指示の出力は、音声情報及び／又は視覚情報を組み込むことができる。ユーザインタフェースがグラフィカルユーザインタフェース又はタッチスクリーンディスプレイを組み込んでいる場合、哺乳指示の少なくとも一部を図表で表示することができる。他の例では、ユーザインタフェースは、音声ファイルを再生するか、又は、哺乳指示の少なくとも一部を組み込んだ音声ファイルをレンダリングすることができる。
【００１４】
一部の例では、センサデータはライブストリーミングされ、哺乳データベースに送信される。例えば、完全なセンサデータを哺乳データベースにパケットとして送信することができる。他の例では、哺乳データを集計して又は哺乳データに統計を行って、次にデータベースに送信してもよい。完全なセンサデータをストリーミングするか又はデータを集計することは、異なる状況において異なる利点を有し得る。例えば、データの全てが送信された場合、状況データと共に哺乳データのより詳細な分析を行うことができる。データが第一に集計される場合、これは、哺乳データベースに送信されているデータの帯域幅を狭め得る。
【００１５】
別の実施形態では、哺乳データベースは、状況データ及び哺乳データと共にパターン認識アルゴリズムを使用して、予め生成された指示データ要素から指示データを選択するように構成される。例えば、予め生成された指示データ要素を選択するために使用される学習済みニューラルネットワーク等のパターン認識アルゴリズムがあってもよい。他の例では、パターン認識アルゴリズムは、決定木又はエキスパートシステムを少なくとも部分的に含んでもよい。例えば、状況データは、乳幼児への哺乳を行っている人物の身元に関する情報を含有してもよい。この場合、パターン認識アルゴリズムは、哺乳指示が特定のユーザに対してカスタマイズされるように、データの別々の格納を維持することができる。
【００１６】
一部の実施形態では、予め生成された指示データ要素は、選択される音声情報及び／又は視覚情報を含んでもよい。例えば、パターン認識アルゴリズムを使用して、哺乳が行われている乳幼児の、又は、乳幼児への哺乳を行っている人物の行動の特定の問題又は難しさを同定することができる。従って、パターン認識アルゴリズムを使用して、適切な予め生成された指示データ要素を選択することができる。場合によっては、ユーザインタフェースを使用した哺乳指示の出力が、乳幼児の哺乳が完了した直後に行われる。この哺乳指示の出力は、例えば、グラフィカルな情報の表示及び／又は音声ファイルの再生を含み得る。これは、例えば、多数の人々が乳幼児への哺乳に関与している場合に有用であり得る。これによって、正しいメッセージが適切な人物に届けられるということを確実にすることができる。他の例では、哺乳指示は、乳幼児哺乳システムを用いて乳児への哺乳が行われているということをシステムが検出したときにユーザインタフェースに表示されてもよい。
【００１７】
例えば、少なくとも１つのセンサは、乳幼児哺乳システムを用いて乳幼児に哺乳が行われていることを示す音又は他の動きだけでなく、ボトルの向きを同定することができる加速度計を含んでもよい。これは、次に、哺乳指示の出力を、乳幼児への哺乳を行っている人物に表示されるようにトリガすることができる。他の場合には、哺乳指示の出力は、乳幼児の哺乳の開始から所定の量だけ遅らせることができる。例えば、哺乳指示は、乳児への哺乳を適切に行う方法についての情報、又は、哺乳後の乳児に適切にげっぷをさせるための注意を含有してもよい。これをユーザに表示するか、又は、乳児にげっぷをさせる必要がある時間についての音声ファイルをレンダリングすることが有益であろう。従って、予め生成された指示データ要素に含有される性質又はメッセージに応じて、ユーザインタフェース上の哺乳指示の出力を、適切な時間に行うことができる。予め生成された指示データ要素は、例えば、哺乳指示が出力されるべきときを記述するメタデータを含有してもよい。
【００１８】
別の実施形態では、パターン認識アルゴリズムは、学習済みニューラルネットワーク、決定木、エキスパートシステム及びクラスターアルゴリズムのうちのいずれか１つである。例えば、データのクラスターを使用して、適切な予め生成された指示データ要素を同定することができる。
【００１９】
別の実施形態では、哺乳データベースは、要求生成アルゴリズムを使用して哺乳データを分析し、予め生成された状況データ要求要素から状況データ要求を構築するように構成される。この例では、学習済みニューラルネットワーク、決定木、エキスパートシステム及びクラスターアルゴリズムは全て、どのように要求生成アルゴリズムをおそらく実行することができるかの例である。
【００２０】
別の実施形態では、乳幼児哺乳システムは哺乳瓶である。
【００２１】
別の実施形態では、乳幼児哺乳システムは、哺乳瓶の周囲に適合するスリーブと組み合わせた哺乳瓶である。
【００２２】
別の実施形態では、乳幼児哺乳システムは、哺乳瓶を受けるためのスリーブである。
【００２３】
別の実施形態では、少なくとも１つのセンサは：液体の温度を測定する温度センサ、乳幼児哺乳システムの向きを測定する加速度計センサ、周囲光レベルを測定する環境光センサ、周囲音レベルを測定する環境音センサ、液体の重さを測定する力センサ及びその組み合わせのうちのいずれか１つを含む。
【００２４】
これらのセンサのいずれか１つを組み込むことは、どのように乳幼児に哺乳が行われているかを記述するデータの直接的な測定を可能にすることができるため有益であり得る。例えば、温度センサの組み込みは、液体の温度の直接的な測定を可能にすることができる。これは、液体の温度が高すぎるか又は乳幼児にとって危険である場合に警告を提供するという利点を有し得る。他の例では、乳幼児は、液体の特定の温度に対する特定の好みを有し得る。温度センサの組み込みは、哺乳指示のより正確な決定を可能にすることができる。
【００２５】
例えば、ユーザ応答は、乳幼児が食物を受け取っているときに乳幼児への哺乳を行っている人物が、乳幼児がどの程度満足していると考えているかを示すことができる。これは、一例では、温度センサの結果を分類するために使用することができる。加速度計センサの使用は、乳幼児哺乳システムの向きを測定する以外にも使用することができる。例えば、加速度計を使用して、どのくらい乳幼児がそわそわしているか、又は、乳幼児への哺乳を行っている人物が動いているかさえも測定することができる。環境光センサは、乳幼児への哺乳が行われているときの光の量が、哺乳プロセスの間に乳幼児はどのくらい快適であるかに影響を及ぼし得るため、有用であり得る。力センサの組み込みは、どの程度乳幼児が液体を飲んだかを測定するのに有用であり得る。これは、例えば、乳幼児に対する栄養情報を決定することにおいて、又は、乳幼児はどのくらい快適であるか又は満足しているかの１つの尺度としてさえも有用であり得る。
【００２６】
別の実施形態では、機械実行可能命令の実行はさらに、プロセッサに、哺乳データが取得される取得期間を決定させる。例えば、特定のセンサ条件を使用して、取得期間のときをトリガするか又は決定することができる。例えば、ボトルが特定の位置において方向づけられている場合、それは、乳幼児に哺乳が行われているときを示す条件の一部であり得る。取得期間は、少なくとも１つのセンサにより測定されたデータに少なくとも１つの所定の基準を適用することによって決定される。
【００２７】
別の実施形態では、少なくとも１つのセンサは加速度計センサを含む。命令の実行はさらに、プロセッサに、加速度計センサを使用して活動プロファイルを決定させる。状況データは、哺乳データを取得する前の第１の所定の時間範囲内の活動プロファイルを含む。第１の所定の時間範囲は、取得時間前である。この実施形態は、加速度計センサが、哺乳が始まるよりも前の時点にて乳幼児及び／又は乳幼児への哺乳を行っている人物の動きを決定することにおいて有用であり得るため、有益であり得る。例えば、乳幼児が移動中であり且つ乳幼児の親と買い物している場合、乳幼児は、家にいた場合ほど快適ではない可能性がある。
【００２８】
哺乳が開始される前に加速度計のデータを調べることは、哺乳の状況に関する手がかりを提供することにおいて有用であり得る。例えば、加速度計センサが、乳幼児が哺乳直前にある場所の間を移動し、従って、乳幼児は、哺乳プロセス中そわそわしていたことを示す場合、データを別のフォルダに移動させること、又は、哺乳条件に関して乳幼児への哺乳を行っている人物に質問することが有用であり得る。
【００２９】
別の実施形態では、少なくとも１つのセンサは環境音センサを含む。命令の実行はさらに、プロセッサに、環境音センサを使用してノイズプロファイルを決定させる。例えば、平均ノイズ又はノイズの別の統計学的程度を使用して、哺乳データを取得する前の第２の所定の時間範囲内のノイズプロファイルを含む状況データを決定することができる。第２の所定の時間範囲は、取得時間前である。この実施形態は、環境音が、乳幼児がいる条件の指標、又は、哺乳前に曝露されるストレス又は拘束の量の指標でさえあり得るため、有益であり得る。
【００３０】
別の実施形態では、少なくとも１つのセンサは環境光センサを含む。命令の実行はさらに、プロセッサに、環境光センサを使用して周囲光プロファイルを決定させる。状況データは、哺乳データを取得する前の第３の所定の時間範囲内の周囲光プロファイルを含む。この実施形態は、乳幼児への哺乳が行われる前の周囲光の量が、乳幼児がどの程度リラックスしているか又はストレスを感じているかに影響を及ぼし得るため、有用であり得る。この実施形態は、乳幼児が哺乳前に曝露され得る条件を定量的に測定することにおいても有用であり得る。
【００３１】
別の実施形態では、乳幼児哺乳システムは、ハンドヘルドのテレコミュニケーション装置を含む。例えば、乳幼児哺乳システムは、ユーザインタフェースを含むハンドヘルドのテレコミュニケーション装置を含んでもよい。これは、多くの個人がスマートフォン等のハンドヘルドのテレコミュニケーション装置を所有しているため、有益であり得る。従って、ハンドヘルドのテレコミュニケーション装置の処理能力を、液体のためのボトル又は他の容器に組み込まれる電子部品のコストを減らすために使用することができる。
【００３２】
別の実施形態では、乳幼児哺乳システムは、哺乳データベースを含む。哺乳データベースは、異なる形態をとり得る。一例では、哺乳データベースは、リモートサーバ又はコンピュータに位置しているデータベースであってもよい。この場合、データはストリーム又は集計された形式で哺乳データベースに送信されてもよい。哺乳データベースをリモート又はセントラルサーバとすることは、哺乳指示の出力の結果を多くの異なるユーザに対して同時に修正することができるため、有益であり得る。
【００３３】
別の実施形態では、哺乳データベースは、例えば、ボトル上のスリーブに組み込まれてもよく、又は、ハンドヘルドのテレコミュニケーション装置にさえ組み込まれてもよい。これは、リモートサーバに転送する必要のあるデータの量を減らすことができ、及び／又は、乳幼児に関するデータのより優れたプライバシーを提供することもできるため、有益であり得る。
【００３４】
別の実施形態では、プロセッサは、ネットワーク接続を介して哺乳データベースに哺乳データを送信する。プロセッサは、ネットワーク接続を介して哺乳データベースに状況データを送信する。プロセッサは、ネットワーク接続を介して哺乳データベースから指示データを受信する。
【００３５】
別の実施形態では、乳幼児哺乳システムは、液体を保持するための一体化されたボトルをさらに含む。
【００３６】
別の実施形態では、乳幼児哺乳システムは、液体を保持するための外部ボトルを保持するためのボトル受け器を含む。乳幼児哺乳システムがボトル受け器を含む場合、ボトル受け器は、例えば、哺乳瓶の周囲に適合するスリーブであってもよく、様々なセンサが測定を行うのを可能にする。従って、一例は、温度を測定するための赤外線センサ、消費された流体の重量を測定するための圧力センサ、それから、本体又はボトル受け器の内部に組み込まれる他の様々なセンサであってもよい。
【００３７】
別の態様では、本発明は、乳幼児哺乳システムの作動方法を提供する。乳幼児哺乳システムは、乳幼児に液体を経口的に与えるように構成される。乳幼児哺乳システムは：ユーザインタフェースと、少なくとも１つの物理的特性を測定するための少なくとも１つのセンサとを含む。この方法は、少なくとも１つのセンサを用いて少なくとも１つの物理的特性を測定することによって哺乳データを取得するステップを含む。この方法は、哺乳データベースに哺乳データを送信するステップをさらに含む。この方法は、哺乳条件を記述するユーザ応答をユーザインタフェースから受信するステップをさらに含む。この方法は、哺乳データベースに状況データを送信するステップをさらに含む。状況データは、ユーザ応答を含む。この方法は、状況データ及び哺乳データに応答した哺乳データベースからの指示データを受信するステップをさらに含む。この方法は、指示データを使用して、ユーザインタフェース上に哺乳指示を出力するステップをさらに含む。
【００３８】
別の態様では、本発明は、乳幼児に液体を経口的に与えるための乳幼児哺乳システムを制御するプロセッサによる実行のための機械実行可能命令を含むコンピュータプログラム製品を提供する。乳幼児哺乳システムは、ユーザインタフェースと、少なくとも１つの物理的特性を測定するための少なくとも１つのセンサとを含む。機械実行可能命令の実行が、プロセッサに、少なくとも１つのセンサを用いて少なくとも１つの物理的特性を測定することによって、哺乳データを取得させる。機械実行可能命令の実行はさらに、プロセッサに、哺乳データベースまで哺乳データを送信させる。機械実行可能命令の実行はさらに、プロセッサに、ユーザインタフェースから、哺乳条件を記述しているユーザ応答を受信させる。機械実行可能命令の実行はさらに、プロセッサに、哺乳データベースまで状況データを送信させる。状況データはユーザ応答を含む。機械実行可能命令の実行はさらに、プロセッサに、状況データ及び哺乳データに応答した哺乳データベースからの指示データを受信させる。機械実行可能命令の実行はさらに、プロセッサに、指示データを使用して、ユーザインタフェース上に哺乳指示を出力させる。
【００３９】
１つ又は複数のコンピュータ可読媒体のいかなる組み合わせも利用することができる。コンピュータ可読媒体は、コンピュータ可読信号媒体又はコンピュータ可読記憶媒体であってもよい。本明細書において使用される場合「コンピュータ可読記憶媒体」は、コンピュータ計算装置のプロセッサによって実行可能な命令を格納することができるいかなる有形の記憶媒体も包含する。コンピュータ可読記憶媒体は、コンピュータ可読非一時的記憶媒体と呼ぶことができる。コンピュータ可読記憶媒体は、有形のコンピュータ可読媒体と呼ぶこともできる。一部の実施形態において、コンピュータ可読記憶媒体は、コンピュータ計算装置のプロセッサによって利用され得るデータを格納することもできる。コンピュータ可読記憶媒体の例として：フロッピーディスク、磁気ハードディスクドライブ、固体ハードディスク、フラッシュメモリ、ＵＳＢサムドライブ、ランダムアクセスメモリ（ＲＡＭ）、リードオンリーメモリ（ＲＯＭ）、光ディスク、光磁気ディスク及びプロセッサのレジスタファイルが挙げられるがそれらに限定されない。光ディスクの例として、コンパクトディスク（ＣＤ）、及び、例えばＣＤ−ＲＯＭ、ＣＤ−ＲＷ、ＣＤ−Ｒ、ＤＶＤ−ＲＯＭ、ＤＶＤ−ＲＷ又はＤＶＤ−Ｒディスク等のデジタル多機能ディスク（ＤＶＤ）が挙げられる。コンピュータ可読記憶媒体という用語は、ネットワーク又は通信リンクを介してコンピュータ装置によって利用され得る種々のタイプの記録媒体も意味する。例えば、データは、モデム上、インターネット上、又は、ローカルエリアネットワーク上で検索することができる。コンピュータ可読媒体上で具体化されるコンピュータにより実行可能なコードは、無線、有線、光ファイバケーブル、ＲＦ又はそのいかなる適した組合せ等を含むがそれらに限定されないいかなる適切な媒体を使用して伝達されてもよい。
【００４０】
コンピュータ可読信号媒体は、伝播されるデータ信号を含んでもよく、その中でコンピュータにより実行可能なコードが、例えばベースバンドで又は搬送波の一部として具体化されている。そのような伝播される信号は、電磁気、光又はそのいかなる適した組合せも含むがそれらに限定されない種々の形のうちいずれの形をとってもよい。コンピュータ可読信号媒体は、コンピュータ可読記憶媒体ではなく且つ命令実行システム、装置若しくはデバイスによって又はそれらと関連させて使用するためのプログラムを伝える、伝播する又は運ぶことができるいかなるコンピュータ可読媒体であってもよい。
【００４１】
「コンピュータメモリ」又は「メモリ」は、コンピュータ可読記憶媒体の一例である。コンピュータメモリは、プロセッサにも直接利用可能ないかなるメモリでもある。
【００４２】
本明細書において使用される場合「プロセッサ」は、プログラム又は機械により実行可能な命令又はコンピュータにより実行可能なコードを実行することができる電子部品を包含する。「プロセッサ」を含むコンピュータ計算装置への言及は、２つ以上のプロセッサ又は処理コアをおそらく含有しているとして解釈されるべきである。プロセッサは、例えば、マルチコアプロセッサであってもよい。プロセッサは、単一のコンピュータシステム内のプロセッサの集合も意味することができ、又は、多数のコンピュータシステムの間で分配することができる。コンピュータ計算装置という用語は、１つ又は複数のプロセッサをそれぞれ含むコンピュータ計算装置の集合又はネットワークをおそらく意味すると解釈されるべきでもある。コンピュータにより実行可能なコードは、同じコンピュータ計算装置内にあり得るか又は多数のコンピュータ計算装置にわたって分配することさえできる多数のプロセッサによって実行されてもよい。
【００４３】
コンピュータにより実行可能なコードは、プロセッサに本発明の一態様を行わせる機械により実行可能な命令又はプログラムを含んでもよい。本発明の態様に対するオペレーションを実施するコンピュータにより実行可能なコードは、Ｊａｖａ（登録商標）、Ｓｍａｌｌｔａｌｋ、Ｃ＋＋等のオブジェクト指向プログラム言語、及び、「Ｃ」プログラム言語又は類似のプログラム言語等の従来の手続き型プログラム言語を含む１つ又は複数のプログラム言語のいかなる組合せで書かれてもよく、さらに、機械実行可能命令にコンパイルされてもよい。一部の例において、コンピュータにより実行可能なコードは、高水準言語の形又は事前コンパイルの形であってもよく、さらに、オンザフライで機械実行可能命令を生成するインタープリタと共に使用されてもよい。
【００４４】
コンピュータにより実行可能なコードは、ユーザのコンピュータ上で完全に、ユーザのコンピュータ上で部分的に、スタンドアロンのソフトウェアパッケージとして、ユーザのコンピュータ上で部分的に且つリモートコンピュータ上で部分的に、又は、リモートコンピュータ若しくはサーバ上で完全に実行されてもよい。最後の筋書きにおいて、リモートコンピュータは、ローカルエリアネットワーク（ＬＡＮ）又は広域ネットワーク（ＷＡＮ）を含むいかなるタイプのネットワークを介してユーザのコンピュータに接続されてもよく、又は、その接続は、（例えば、インターネットサービスプロバイダーを使用したインターネットを介して）外部のコンピュータに対して行われてもよい。
【００４５】
本発明の態様は、本発明の実施形態による方法、装置（システム）及びコンピュータプログラム製品の流れ図、説明図及び／又はブロックダイヤグラムを参考にして記載される。流れ図、説明図及び／又はブロックダイヤグラムの各ブロック又はブロックの一部は、適用できる場合にコンピュータにより実行可能なコードの形のコンピュータプログラムの命令によって実行することができるということが理解される。互いに矛盾しない場合に、異なる流れ図、説明図及び／又はブロックダイヤグラムにおけるブロックの組合せを組み合わせることができるということがさらに理解される。これらのコンピュータプログラムの命令は、コンピュータ又は他のプログラム可能データ処理装置のプロセッサを介して実行される命令が流れ図及び／又はブロックダイヤグラムの１つ又は複数のブロックにおいて特定される機能／行動を実行する手段を作製するように、汎用コンピュータ、専用コンピュータ又は機械を生成する他のプログラム可能データ処理装置のプロセッサに提供されてもよい。
【００４６】
これらのコンピュータプログラムの命令はコンピュータ可読媒体に格納することもでき、コンピュータ可読媒体に格納された命令が流れ図及び／又はブロックダイヤグラムの１つ又は複数のブロックにおいて特定される機能／行動を実行する命令を含む製品を生成するように、コンピュータ、他のプログラム可能データ処理装置又は他の装置に特定の様式で機能するよう指示することができる。
【００４７】
コンピュータプログラムの命令は、コンピュータ、他のプログラム可能データ処理装置又は他の装置上にロードして、コンピュータ、他のプログラム可能装置又は他の装置上で一連のオペレーショナルステップが行われるようにし、コンピュータ又は他のプログラム可能装置上で実行される命令が流れ図及び／又はブロックダイヤグラムの１つ又は複数のブロックにおいて特定される機能／行動を実行するプロセスを提供するように、コンピュータにより実行されるプロセスを生成することもできる。
【００４８】
本明細書において使用される場合「ユーザインタフェース」は、ユーザ又はオペレータがコンピュータ又はコンピュータシステムと相互作用するのを可能にするインタフェースである。「ユーザインタフェース」は、「ヒューマンインターフェース装置」と呼ぶこともできる。ユーザインタフェースは、オペレータに情報若しくはデータを提供してもよく、及び／又は、オペレータから情報若しくはデータを受信してもよい。ユーザインタフェースは、オペレータからの入力が、コンピュータによって受信されるのを可能にしてもよく、さらに、コンピュータからユーザに出力を提供してもよい。言い換えると、ユーザインタフェースは、オペレータがコンピュータを制御又は操作するのを可能にしてもよく、さらに、インタフェースは、コンピュータがオペレータの制御又は操作の効果を示すのを可能にしてもよい。ディスプレイ又はグラフィカルユーザインタフェース上のデータ又は情報の表示は、オペレータに情報を提供することの一例である。キーボード、マウス、トラックボール、タッチパッド、ポインティングスティック、グラフィックスタブレット、ジョイスティック、ゲームパッド、ウェブカム、ヘッドセット、ペダル、ワイヤードグローブ、遠隔操作装置及び加速度計を介したデータの受信は全て、オペレータからの情報又はデータの受信を可能にするユーザインタフェース構成要素の例である。
【００４９】
本明細書において使用される場合「ハードウェアインタフェース」は、コンピュータシステムのプロセッサが、外部のコンピュータ計算デバイス及び／若しくは装置と相互作用する並びに／又はそれらを制御するのを可能にするインタフェースを包含する。ハードウェアインタフェースは、プロセッサが制御信号又は命令を外部のコンピュータ計算デバイス及び／又は装置に送るのを可能にしてもよい。ハードウェアインタフェースは、プロセッサが外部のコンピュータ計算デバイス及び／又は装置とデータを交換するのも可能にしてよい。ハードウェアインタフェースの例として：ユニバーサルシリアルバス、ＩＥＥＥ１３９４ポート、パラレルポート、ＩＥＥＥ１２８４ポート、シリアルポート、ＲＳ−２３２ポート、ＩＥＥＥ−４８８ポート、Ｂｌｕｅｔｏｏｔｈ（登録商標）接続、無線ローカルエリアネットワーク接続、ＴＣＰ／ＩＰ接続、Ｅｔｈｅｒｎｅｔ接続、制御電圧インタフェース、ＭＩＤＩインタフェース、アナログ入力インタフェース及びデジタル入力インタフェースが挙げられるがそれらに限定されない。
【００５０】
本明細書において使用される場合「ディスプレイ」又は「ディスプレイ装置」は、画像又はデータを表示するために適応された出力装置又はユーザインタフェースを包含する。ディスプレイは、視覚的、聴覚的及び／又は触覚的データを出力してもよい。ディスプレイの例として：コンピュータモニター、テレビスクリーン、タッチスクリーン、触覚電子ディスプレイ、点字スクリーン、陰極線管（ＣＲＴ）、蓄積管、双安定ディスプレイ、電子ペーパー、ベクトルディスプレイ、フラットパネルディスプレイ、真空蛍光表示管（ＶＦ）、発光ダイオード（ＬＥＤ）ディスプレイ、エレクトロルミネッセントディスプレイ（ＥＬＤ）、プラズマディスプレイパネル（ＰＤＰ）、液晶ディスプレイ（ＬＣＤ）、有機発光ダイオードディスプレイ（ＯＬＥＤ）、プロジェクター及びヘッドマウントディスプレイが挙げられるがそれらに限定されない。
【００５１】
組み合わされる実施形態が互いに排他的でない限り、本発明の上述の実施形態のうち１つ又は複数の実施形態を組み合わせることができるということが理解されたい。
【００５２】
以下では、本発明の好ましい実施形態が、単なる例として、図面を参照して記載される。
【図面の簡単な説明】
【００５３】
【図１】乳幼児哺乳システムを示した図である。
【図２】乳幼児哺乳システムをさらに示した図である。
【図３】乳幼児哺乳システムの作動方法を示した流れ図である。
【図４】乳幼児哺乳システムのさらなる作動方法を示した流れ図である。
【図５】ディスプレイ装置上に表示される質問票の一部を示した図である。
【図６】ディスプレイ装置上に表示される質問票のさらなる一部を示した図である。
【図７】タイムラインを示した図である。
【図８】乳幼児哺乳システムのさらなる例を示した図である。
【図９】図８において示された哺乳システムの機能を示した図である。
【図１０】哺乳指示の一例を示した図である。
【図１１】哺乳指示のさらなる例を示した図である。
【図１２】哺乳指示のさらなる例を示した図である。
【図１３】哺乳指示のさらなる例を示した図である。
【図１４】哺乳指示のさらなる例を示した図である。
【図１５】哺乳指示のさらなる例を示した図である。
【発明を実施するための形態】
【００５４】
これらの図における同様の番号を付した要素は、同等の要素であるか又は同じ機能を実行する。先に論じた要素は、機能が同等である場合、後の図において必ずしも論じられるわけではない。
【００５５】
図１は、乳幼児哺乳システムの一例を示している。この例では、乳幼児哺乳システムは、スリーブ１０４に適合するボトル１０２を含む。スリーブは、ボトル１０２の下端の周囲に適合する。他の例では、乳幼児哺乳システムは、スリーブ１０４のみを含んでもよい。さらに他の例では、スリーブ１０４の構成要素をボトル１０２に一体化させることができる。ボトル１０２は、乳首１０８を有するキャップ１０６を有するものとしてさらに示されている。流体がボトル１０２内に入れられると、ボトル１０２内にある液体を乳幼児に与えることができるように、ボトル１０２を部分的に反転することができ、乳首１０８を乳幼児の口の中に置くことができる。この例におけるスリーブ１０４は、様々なセンサ及び電子部品を置くために使用され得る空間１１０を有する。電子部品は、図２においてより詳細に例示されている。
【００５６】
図２は、乳幼児哺乳システム１００のさらなるあり得る構成要素を示している。この例では、電子部品２００はボトル１００内に位置してもよい。電子部品は、例えば、空間１１０内にあってもよく、又は、スリーブ１０４の様々な部分内にあってもよい。ユーザインタフェース２０２を有するハンドヘルドのテレコミュニケーション装置２０１、及び、哺乳データベース２４６を有するサーバ２０４もこの例において示されている。
【００５７】
スリーブ内の電子部品２００はコントローラ２０６を含む。コントローラ２０６は、例えば、小型の組み込みコンピュータ又はマイクロプロセッサであってもよい。コントローラ２０６は、ハードウェアインタフェース２１０、メモリ２１６及び無線インタフェース２１４と通信するプロセッサ２０８を含む。ハンドヘルドのテレコミュニケーション装置２０１は、プロセッサ２０８’及びメモリ２１６’を有するものとして示されている。サーバ２０４は、プロセッサ２０８’’及びメモリ２１６’’を有するものとして示されている。図２における例は、乳幼児哺乳システムのコンピュータ計算及びメモリをどのようにして分配することができるかの一例である。プロセッサ２０８、２０８’及び２０８’’、並びに、メモリ２１６、２１６’及び２１６’’を組み合わせることができる。
【００５８】
メモリ２１６は、プロセッサレジスタ、揮発性又は不揮発性メモリのいかなる組み合わせも有することができる。ハードウェアインタフェース２１０は、多数のセンサ２１２、２１２’、２１２’’、２１２’’’に接続されている。センサ２１２、２１２’、２１２’’、２１２’’’は、温度センサ、加速度計センサ、環境光センサ、環境音センサ及び／又は力センサのいかなる組み合わせであってもよい。この例では、センサ２１２は任意のセンサであり、センサ２１２’は環境光センサであり、センサ２１２’’は加速度計センサであり、センサ２１２’’’は環境音センサである。センサ２１２、２１２’、２１２’’、２１２’’’の特定の組み合わせは、例証的なものに過ぎない。実施形態によって、センサの組み合わせは異なってもよく、センサ２１２、２１２’、２１２’’、２１２’’’は、他の実施例において存在してもしなくてもよい。
【００５９】
無線インタフェース２１４は、例えば、プロセッサ２０８がハンドヘルドのテレコミュニケーション装置２０１に無線接続２１８を介してメッセージを送信するのを可能にするＷｉ−Ｆｉ、Ｂｌｕｅｔｏｏｔｈ（登録商標）又は他のワイヤレスセンサであってもよい。一部の例では、ユーザインタフェース２０２は、ボトル１０２又はスリーブ１０４に一体化させることができる。この例では、ユーザインタフェース２０２は、電子部品２００とは別のものである。例えば、ユーザインタフェース２０２は、タッチスクリーンを有するスマートフォン等のハンドヘルドのテレコミュニケーション装置の一部に一体化されてもよい。
【００６０】
図２の例では、ハンドヘルドのテレコミュニケーション装置２０１は、ネットワーク接続２２０を介してサーバ２０４に接続されているものとして示されている。ネットワーク接続２２０は、例えば、有線又は無線のインターネット接続であってもよい。ネットワーク接続２２０は、デジタルテレコミュニケーション接続等の携帯電話接続であってもよい。他の例では、サーバ２０４は存在していなくてもよい。例えば、哺乳データベース２４６は、ユーザインタフェース２０２に組み込まれてもよく、又は、コントローラ２０６にさえ組み込まれてもよい。異なる構成では、乳幼児哺乳システムの構成要素の全てが、スリーブ１０４に組み込まれてもよい。他の例では、コンピュータ計算を分配することができる。
【００６１】
メモリ２１６は、センサ２１２、２１２’、２１２’’、２１２’’’のうち１つ又は複数のセンサから取得されたセンサデータ２３２を有するものとして示されている。メモリ２１６は、電子部品２００の作動を制御するための機械実行可能命令２３０を有するものとしてさらに示されている。メモリ２１６は、センサデータ２３２から構築された哺乳データのデータパケット２３４を有するものとしてさらに示されている。データパケット２３４は、例えば、センサデータ２３２からの生データであってもよく、又は、センサデータ２３２の集計又は部分集計であってもよい。データパケット２３４は、例えば、ユーザインタフェース２０２に接続２１８を介して送信されてもよく、サーバ２０４に接続２２０を介して送信されてもよい。メモリ２１６’は、データパケット２３４を有する又は格納するものとして示されている。メモリ２１６’は、状況データ要求２３６、質問票のレンダリング２３８、ユーザ応答２４０及び／又は指示データ２４２を有するか又は格納してもよい。
【００６２】
状況データ要求２３６は、例えば、サーバ２０４から受信することができる。指示データ２４２も、サーバ２０４から受信することができる。質問表のレンダリング２３８は、指示データ２４２を使用して構成することができる。メモリ２１６’’は、哺乳データベース２４６と予め生成された指示データ要素２４４のセットとを有するものとして示されている。サーバ２０４は、例えば、データパケット２３４の全て又は一部の受信に応答して状況データ要求を生成するようにプログラムされてもよい。サーバ２０４は、予め生成された指示データ要素から指示データ２４２を生成するようにもプログラム又は構成されてもよい。メモリ２１６’’は、ハンドヘルドのテレコミュニケーション装置２０１からネットワーク接続２２０によって受信される状況データ２４８を有するものとしても示されている。一部の例では、状況データ２４８は、センサデータ２３２又は集計されたセンサデータも有するか又は含んでもよい。
【００６３】
図３は、図１及び２において例示された乳幼児哺乳システム１００の使用方法を例示した流れ図を示している。最初に、ステップ３００において、哺乳データ２３２が取得される。哺乳データは、生のセンサデータ２３２又はデータパケット２３４であってもよい。次に、ステップ３０２において、哺乳データ２３４は、哺乳データベース２４６に送信される。次に、ステップ３０４において、プロセッサ２０８が、哺乳条件を記述するユーザ応答２４０をユーザインタフェース２０４から受信する。次に、ステップ３０６において、状況データ２４８が哺乳データベース２４６に送信される。状況データ２４８は、ユーザ応答２４０を含む。次に、ステップ３０８において、指示データ２４２が哺乳データベース２４６から受信される。これは、状況データ２４８及び哺乳データ２３４に応答している。最後に、ステップ３１０において、ユーザインタフェース２０２が、指示データ２４２を使用して、ユーザインタフェース上に哺乳指示２４３を出力する。
【００６４】
図２において、ユーザインタフェース２０２及びサーバ２０４も、プロセッサ２０８を有するものとして示されている。電子部品２００、ユーザインタフェース２０２及びサーバ２０４の様々な機能は、実施形態によって異なるように分散されてもよい。プロセッサ２０８は、１つ又は複数の異なるプロセッサを表すことができる。
【００６５】
図４は、図１及び２の乳幼児哺乳システム１００のさらなる作動方法の流れ図を示している。図４において示されている方法は、ステップ３０２と３０４との間で行われるステップ４００と４０２を追加して、図３において示されている方法に類似している。ステップ３０２が行われた後で、ユーザインタフェース２０２は、哺乳データ２３４に応答した哺乳データベース２４６からの状況データ要求２３６を受信する。次に、ステップ２０２において、ユーザインタフェース２０２は、ディスプレイ又は他の表示システムに質問票２３８を表示する。次に、この方法は、図３に対して記載されているようにステップ３０４に進む。
【００６６】
図５は、ユーザインタフェース２０２の一例を有する画像を示している。ユーザインタフェース２０２はディスプレイ５００を含む。ディスプレイ上には、質問票の一部のレンダリング２３８がある。この例では、レンダリング２３８は、乳幼児への哺乳を行っている人物の同定を要求する質問票を有する。これは、センサ２１２、２１２’、２１２’’、２１２’’’を使用して測定することができないデータの一例である。
【００６７】
図６は、ユーザインタフェース２０２のさらなる図を示している。ディスプレイ５００には、質問票のさらなるレンダリング２３８’が示されている。この例では、ユーザは、ボトル１０２内の液体を同定するように要求されている。これは、センサ２１２、２１２’、２１２’’、２１２’’’によって決定することが困難なデータの別の例である。
【００６８】
図７は、タイムライン７００を示している。取得時間である区間７０２がある。取得時間は、哺乳データ７０４が取得される期間である。取得時間は、少なくとも１つのセンサによって測定されたデータに少なくとも１つの所定の基準を適用することによって決定される。タイムライン７００上にマークされた別の区間は、所定の時間範囲７０６である。所定の時間範囲は、取得期間７０２の前である。所定の時間範囲７０６の間に、活動７０８、活動プロファイル、ノイズプロファイル、又は周囲光プロファイルを決定するために使用されるデータが測定されてもよい。データ７０８又はプロファイルは、状況データに組み込まれてもよい。タイムライン７００は、指示データ２４２を選択するために使用される状況を開発するためにどのようにしてデータが使用され得るかを例示している。プロファイル７０８は、乳幼児の実際の哺乳が開始する前に取得される。これは、例えば、ログ又はバッファに格納されてもよく、次に、取得時間７０２が始まるとリコールされる。
【００６９】
親は、典型的には、人工栄養（ｂｏｔｔｌｅ  ｆｅｅｄｉｎｇ）の記録をつけたい場合に、手動によるロギングを使用する。これらの手動によるログでは、人工栄養の２〜３つ以上の特徴（時間、量、温度）の記録をつけることは非常に難しい。それにもかかわらず、哺乳の記録をつけることは有用な医学情報を明らかにし、子供が期待通りに発達していると親が感じるのに寄与することができる。さらに、人工栄養により、２人以上の人物によって乳児に哺乳を行うことが可能になる。しかし、この場合、哺乳の手動によるロギングはより困難になる。
【００７０】
複数の例が、一体型センサにより収集されたデータを使用することによって手動によるロギングの必要性を排除するスマート哺乳瓶を提供することができる。データは、乳幼児哺乳システムが接続されているシステム又はデータベースによって分析される。分析される収集されたデータは、次に、表示装置を使用して親のために提示されてもよい。乳幼児哺乳システムを、９人の参加者によって３週間試験した。
【００７１】
この試験によって、参加者は乳幼児哺乳システムに関して熱心であったということが示された。９人の参加者のうち５人が、提供された指示データに基づきその哺乳ルーチンを変えた。乳幼児哺乳システムは、スマートボトルを用いて行われた哺乳を自動的に検出することによって、これらの利益を提供していてもよい。スマートフォンで使用するためのアプリケーションを、乳幼児哺乳システムの一部として開発した。このアプリケーションでは、乳幼児哺乳システムを使用して行われた哺乳全てを見て、哺乳に関してより多くの洞察を見つけることが可能である。さらに、このアプリケーションでは、親はその独自の哺乳に関連する教育的意味及び洞察を見つけることができる。インタビューに基づき、一部の親は以下の問題を解決することができた：
哺乳の手動によるロギングはもはや必要ではない。これは、乳児が生まれ、親の経験は少ないが、その哺乳の記録をつけるよう求められる場合に有用である。一部の親は、その哺乳に関する情報全てを用意することは有益であることを見出した。参加した親の全員が、乳幼児哺乳システムは便利であると考えた。
【００７２】
試験した乳幼児哺乳システムでは、２人以上の人物が乳児への哺乳を行う場合にも哺乳歴全体を調査することが可能である。親は、記録されたデータに目を通して、哺乳の詳細に関する不規則性を見つけることができたと語っていた。
【００７３】
さらに、このアプリケーションを介して親が受け取ることができる目的に合わせたアドバイス、哺乳指示は、親がその子供により良い哺乳体験を提供するのに寄与する。一部の親は、乳幼児哺乳システムが子供の健全な発達について安心させ、彼らがうまく哺乳を行っていると安心させるということも見出した。
【００７４】
乳幼児哺乳システムの収集されたデータは、便利な方法でいつでも利用可能にすることができる。データのフォーマットは、それぞれの哺乳を行う人物がその独自の方法でデータを解釈するのが可能になるように調整することもできる。これにより、親がその子供に関する、及び、その独自の哺乳ルーチンに関する興味深い洞察を考え出すことが可能になる。乳幼児哺乳システムは、哺乳データを解釈するための個別の方法を提供してもよい。
【００７５】
収集された哺乳データ及び状況データの分析により、以前は不可能だった親に対する洞察を提供することが可能になり得る。乳幼児哺乳システムの一部の例は、哺乳の環境に関する情報を収集することを可能にしてもよい。このデータに基づき、そうでなければ認識することが非常に難しい親に洞察を提供することが可能になり得る。何かおかしいと感じた場合、親はその独自の解決策を探すと報告する。しかし、システムに助言又は哺乳指示を提供させると、哺乳の問題に対する解決策を探すのがより容易になり得る。親も、賛辞を含むメッセージを喜んで受け取っていた。乳幼児哺乳システムの例は、人工栄養に関する未知の因子への洞察を提供することができる。
【００７６】
試験した乳幼児哺乳システムは：サーバ、哺乳瓶用スリーブ及び携帯電話用アプリケーションの３つの主要要素を含む。この完全なシステムにより、哺乳の自動ロギングが可能になり得る。さらに、このシステムは、リアルタイムでのデータ収集、及び、乳幼児哺乳システムのユーザとのリアルタイムでの双方向通信が可能になる方法を提供することができる。
【００７７】
サーバは、試験した乳幼児哺乳システムの中心的要素であり、データ収集に責任があるソフトウェアを起動させ、ボトルから収集されたデータが格納されるデータベースを有する。サーバは、ｎｏｄｅ．ｊｓ（ｈｔｔｐｓ：／／ｎｏｄｅｊｓ．ｏｒｇ）及びｍｏｎｇｏｄｂ（ｈｔｔｐｓ：／／ｗｗｗ．ｍｏｎｇｏｄｂ．ｏｒｇ）データベースを起動させる。サーバは：データの追加と検索を行うためのＡＰＩ、及び、収集したデータを視覚化し、整理する、及び、システムと乳幼児哺乳システムのユーザとの通信を可能にするダッシュボードの３つの主要ソフトウェアを起動させる。
【００７８】
ＡＰＩを、乳幼児哺乳システムのために開発し、センサの値、ユーザのコメントを追加し、ユーザの行動を記録し、この収集した情報全てを検索することを可能にした。サーバは、乳幼児哺乳システムのユーザに対しても、収集したデータに興味のある研究者に対しても、収集したデータを理解可能にする分析モータを起動させる。ＡＰＩは、Ｅｘｐｒｅｓｓ  ｆｒａｍｅｗｏｒｋ（ｈｔｔｐ：／／ｅｘｐｒｅｓｓｊｓ．ｃｏｍ）を使用してｎｏｄｅ．ｊｓで開発し、データベースレコードのオブジェクトモデリングに対してｍｏｎｇｏｏｓｅ（ｈｔｔｐ：／／ｍｏｎｇｏｏｓｅｊｓ．ｃｏｍ）を使用する。
【００７９】
試験した乳幼児哺乳システムは、収集され分析されたデータを見るためのアプリケーションであるダッシュボードも含んだ。ダッシュボードは、そのユーザが、収集したセンサデータとアプリケーションからのユーザ入力との相関関係を見つけることを可能にし得る。さらに、ダッシュボードは、乳幼児哺乳システムのユーザと通信するためのインタフェースであり、通信履歴に関する概要も与える。
【００８０】
アプリケーションを、第５世代のｉＰｏｄ（登録商標）  ｔｏｕｃｈのために開発した。このアプリケーションは、Ｂｌｕｅｔｏｏｔｈ（登録商標）  Ｌｏｗ  Ｅｎｅｒｇｙによって、サーバと通信するためにＡＦＮｅｔｗｏｒｋｉｎｇ  ＳＤＫ（ｈｔｔｐ：／／ａｆｎｅｔｗｏｒｋｉｎｇ．ｃｏｍ）を使用し、ボトルスリーブと通信するためにＬｉｇｈｔＢｌｕｅ  Ｂｅａｎ  ＳＤＫ（ｈｔｔｐｓ：／／ｇｉｔｈｕｂ．ｃｏｍ／ＰｕｎｃｈＴｈｒｏｕｇｈ／Ｂｅａｎ−ｉＯＳ−ＯＳＸ−ＳＤＫ）を使用する。
【００８１】
ボトルスリーブは、Ｐｈｉｌｉｐｓ  Ａｖｅｎｔ哺乳瓶用の３Ｄプリントスリーブとして試作した。スリーブの内側には、ＬｉｇｈｔＢｌｕｅ  Ｂｅａｎがあり、これは、ｉＯＳデバイスとの通信のためのＢｌｕｅｔｏｏｔｈ（登録商標）  Ｌｏｗ  Ｅｎｅｒｇｙチップを有するＡｒｄｕｉｎｏコンピュータである。これに、６つのセンサ及びＳＤカードが接続される。
【００８２】
図８は、乳幼児哺乳システム１００の一例を示している。乳幼児哺乳システムは、ボトル１０２及びスリーブ１０４を有するものとして示されている。次に、スリーブ１０４は、ユーザインタフェース２０２にデータを送信する。この例では、ユーザインタフェース２０２は、スマートフォン又はハンドヘルドのコンピュータ計算装置である。ユーザインタフェースは、サーバ２０４と接続している。サーバは、哺乳データ７０４及び状況データ２４８に対するコンテンツを格納する。データベース２４８は、哺乳データ７０４及び状況データ２４８を分析するために使用されるデータ分析エンジン８００を有する。データ分析エンジン８００は、状況データ要求２３６を生成するため及び／又は哺乳指示２４３を生成するために使用することもできる。
【００８３】
図９は、乳幼児哺乳システムの作動方法のさらなる例を示している。図９において示されている例は、いくつかの異なる構成要素の相互作用を示している。これらの構成要素は、スマートボトル１０４、ユーザインタフェース２０２によってホストされるアプリケーション、サーバ２０４、分析モータ８００、データベース２４６及びダッシュボード９００を含む。ダッシュボード９００は、データベース２４６内に格納されたデータを分析するためにユーザによって使用されてもよい。図９において示されている例では、スマートボトル１０４は、生のセンサデータ２３２をアプリケーション２０２にプッシュする。アプリケーション２０２は、次に、データチャンク２３４をサーバ２０４にプッシュする。次に、サーバ２０４はこれをデータベース２４６に格納し、分析モニタ又はモータ８００にも送信する。次に、分析モータ８００は、例えば、哺乳データ及び状況データを使用して、データベース２４６に対するクエリを生成してもよい。これは、次に、応答９０２をもたらし、その後、サーバまで送り出され、最終的にはユーザインタフェース２０２まで送り出されてもよい。応答９０２は、例えば、哺乳指示２４３及び／又は状況データ要求２３６であってもよい。
【００８４】
データベース２４６は、哺乳データ２３４において同定されるトレンド９０４を直接送り出すこともできる。ダッシュボード９００は、データ９０６を抽出するためにオペレータによって使用されてもよい。分析されたデータ９０６は、データベース２４６及び／又は分析モータ８００の維持のために使用されるデータを含み得るか、又は、乳幼児の大規模な集団又は集合の健康のトレンドをマーケティング又は決定するために有用であり得るデータベース２４６から抽出されたデータも含み得る。
【００８５】
乳幼児哺乳システムの作用メカニズムが、上記の図２を使用して説明される。最初に、ボトルスリーブが、リアルタイムでアプリケーションにセンサデータを送信する。全てのデータがアプリケーションに到着した後で、アプリケーションは、サーバにデータチャンクを送信する。サーバは、データベースにデータを保存し、分析モータスクリプトを呼び出す。分析モータは、データを分析し、分析されたデータをデータベースに保存する。この瞬間の後、データを、ダッシュボード上及びアプリケーション内で見ることができる。
【００８６】
試験したボトルスリーブは、温度計、加速度計、環境光センサ、環境音センサ、力センサ、リアルタイムクロック、ＳＤカード、及び通信用Ｂｌｕｅｔｏｏｔｈ（登録商標）  Ｌｏｗ  Ｅｎｅｒｇｙチップを有する。センサは、以下のことに関するデータを収集するために使用することができる。
−  温度センサは、液体の温度をチェックするために使用される。
−  加速度計センサは、ボトルの位置をチェックするために使用される。
−  環境センサは、環境光レベルをチェックするために使用される。
−  環境音センサは、環境音レベルをチェックするために使用される。
−  力センサは、液体の重量をチェックするために使用される。
−  ＲｅａｌＴｉｍｅＳｔａｍｐは、実際のタイムスタンプを格納するために使用される。
−  ＳＤカードへの書き込みは、ローカルストレージにデータを格納するために使用される。
−  Ｂｌｕｅｔｏｏｔｈ（登録商標）接続は、他の製品又はアプリケーションを接続するために使用される。
【００８７】
動き検出は、乳幼児哺乳システムにデータの記録を開始させるために使用することができる。試験した例では、乳幼児哺乳システムは、だいたい１１５ミリ秒ごとにデータを生成し、最後の相互作用から３０秒後に記録を停止する。ボトルスリーブは、Ｂｌｕｅｔｏｏｔｈ（登録商標）を介してアプリケーションに１行ずつデータを送信し、データを局所的に記録するためにリアルタイムでＳＤカードに書き込む。
【００８８】
スマートフォン上のアプリケーションを使用して、ボトルスリーブから受信したデータをチェックすることができ、値が欠けていないかどうかをチェックすることができる。欠けているセンサの値がある場合、データの一部を無視するように構成されてもよい。アプリケーションは、ボトルスリーブが充電ドックにあるかどうか、及び／又は、いつスリーブが最後に充電されたかをチェックすることもできる。ボトルが少なくとも１０秒間ドック上に存在するということをアプリケーションが検出すると、収集したセンサの値をサーバに送信する。この動作は、ボトルが過去１５分間にいかなるデータも収集していない場合にも発生する。１５分という閾値は、Ｐｈｉｌｉｐｓ  Ｄｅｓｉｇｎの別の実験を介して人工栄養について収集された以前の情報に従って定められ、その試験に基づき、哺乳中に１５分間までの中断をいつくか有することが可能であるということを決定した。しかし、ボトルがドックに置かれた後のデータの送信が、より速くプロセスを完了するために可能にされた。さらに、アプリケーションは、インターネット接続が利用可能な場合にのみ、サーバにデータを送信することができる。
【００８９】
サーバは、インターネット接続に応じてデータを受信する。その後、データはデータベースに保存される。これは、到着し保存されるデータチャンクのＩＤと共にデータがデータベースに保存された後、最初の分析モータスクリプトがトリガされるときである。次に、最初の分析モータが起動してデータを分析する。第一に、分析モータは５つのステップを実行する。
−  最初に、タイムスタンプの値を使用して、哺乳がデータベース内に存在するかどうかをチェックする。同じ哺乳からのいくつかの哺乳データパケットがサーバに同時に到着し得るからである。
−  データセットが存在しない場合は、生のデータの長さをチェックする。データが有する要素又は測定値が少なすぎる場合は、哺乳データではないと評価されてもよい。
−  期間チェックの後、最高温度がデータセットから定められる。最高気温が摂氏２８度未満で、乳児に水を与えない保育者から到着した場合、哺乳は哺乳ではないと評価される。
−  哺乳は、ｚ軸の値（回転位置）に基づき定められる。従って、分析モータは、加速度計から取得した最初と最後の１０の連続した負のｚ軸の値を検索する。最初の１０の連続した値が哺乳の開始点として定義され、最後の１０の連続した値が哺乳の終了点として定義される。
−  開始点及び終了点が定義された後で、ｘ軸、ｙ軸、ｚ軸、温度、音量、及び光レベルの平均値、標準偏差及び中央値が計算される。加えて、哺乳及び中断の期間が、この部分において計算される。哺乳の期間は、データサンプルの数に基づき計算される。哺乳の終わりに、保育者は、状況データを提供するためのユーザ応答を求められる。試験では、ユーザは、より少ない質問のうち５つが尋ねられた場合に一貫して応答を提供する。しかし、より少ないユーザ応答のうちそれ以上が促されてもよい。ユーザ応答に対するあり得る質問の例にはおそらく：乳児の幸福度、親の満足度、哺乳の内容、哺乳の量などが挙げられてもよく、アプリケーションに送信される。ユーザは、全ての質問に答えるか、又は、「これは哺乳ではない」と言うことができる。その後、アプリケーションはサーバに答えを送信する。
【００９０】
サーバは、哺乳後の質問の答えを受信した後で、第２の分析モータスクリプトを起動させる。答えが「これは哺乳ではない」の場合、要約を削除し、ログを哺乳ではないとして割り当て、さもなければ、データを分析し続ける。最初に、中断の数をチェックする。その数が閾値を超える場合は、中断の理由を尋ねるカードを送信する。これらの閾値は、ユーザのデータに基づき定められる。その後、生のデータの圧縮されたバージョンである圧縮ログが作成される。これらのログは、１秒及び４秒の区間である２つのタイプで作成される。圧縮ログは、視覚化とイベントログの作成に使用される。１つの視覚化において全てのデータポイントを示すことは不可能であり得るため、圧縮データがこのようにして作成されてもよい。このセクションの終わりに、全てのデータがダッシュボード及びアプリケーションにおいて見えるようになる。
【００９１】
ダッシュボード及び相互作用
分析後、データは、ダッシュボードから到達可能である。このダッシュボードは、研究者のために作成される。研究者は、データを見て、参加者にカードを送信することができる。本明細書において、哺乳指示は、「カード」と呼ばれてもよい。カードはおそらく、助言を提供し、相関関係及び学習洞察を示すことができる。
【００９２】
ダッシュボードの事前定義されたカードタイプの５つの例は次のとおりである。
−  質問票カード：このタイプのカードは、乳幼児哺乳システムのユーザからの質問を尋ねることを可能にし、質問、及び、ユーザが１つ選択することができる事前定義された答えの可能性を有する。ユーザが事前定義されたリストに見つけることができない答えを与えるために使用することができる「その他」のフィールドを定義することも可能である。
−  教育カード：このタイプのカードは、参加者にコーチングメッセージを送信することを可能にする。カードのコンテンツ、教育的コンテンツ、コンテンツソースへの参照、参加者のニュースフィードにおいて示される画像を記載するヘッダーを有し、カードのコンテンツの後ろにアプリケーションにおいて示されることになる背景色を定めることが可能である。
−  洞察カード：このタイプのカードは、乳幼児哺乳システムのユーザから収集されたデータに洞察を送信することを可能にし、ヘッダー、洞察の説明、研究者が洞察を与えたいデータの値、及びデータの単位を有する。
−  ハーフマニュアルカード：このタイプのカードは、事前定義されたサイズの画像を送信することを可能にする。画像は、研究者が参加者と共有したいあらゆる種類のコンテンツを有し得る。
−  ハーフフルマニュアルカード：このタイプのカードは、ハーフマニュアルカードに非常に似ているが、乳幼児哺乳システムのユーザがそのニュースフィードにおけるカードをクリックした後にどのコンテンツが示されるかを選ぶことができる。このコンテンツには２つのあり得る選択肢が利用可能であり、ハンドヘルドの装置の全画面に示される画像を作成すること、又は、参加者が送信される画像をクリックしたときにロードされるＵＲＬを定義することが可能である。
【００９３】
図１０は、ディスプレイ上の哺乳指示のレンダリングの一例２４３を示している。この例では、指示データ２４２は、哺乳データを分析することによって決定されたデータの一例を例示する情報を有する。ユーザがさらなる情報のためにクリックすることができる制御部を有する領域１０００がある。図１１は、哺乳指示のさらなる例２４３’を示している。図１１において示されている例では、ある状況データの要約がある。この例では、第１週目及び第２週目に乳児への哺乳を行っていた人物の同定情報が表示されている。
【００９４】
図１２は、哺乳指示のさらなる例２４３’’を示している。図１２において示されている例では、哺乳指示２４３は、哺乳データベース２４６にデータを格納することにおけるユーザの参加を記述するメタデータに関連するデータを有する。
【００９５】
図１３は、哺乳指示のさらなる例２４３’’’を示している。この例では、どのようにして乳幼児への哺乳が定期的に行われたかを記述する詳細なデータが表示されている。図１３において示されている図は、例えば、図１０における制御部１０００をクリックすることに応答して表示されてもよい。
【００９６】
図１４は、哺乳指示のさらなる例２４３’’’’を示している。図１４において示されている例では、乳児の哺乳における環境ノイズと中断との関係に関するデータ及び指示が表示される。これは、乳児への哺乳が行われている条件を親が調整するのに有用であり得る。
【００９７】
図１５は、哺乳指示のさらなる例２４３’’’’’を示している。図１５において示されている例では、乳児の幸福度のランキングが、時間に関して、及び、乳幼児に与えられた食物のタイプに関しても示されている。これは、どのようにして乳児への哺乳が行われるかを調整することにおいて有用であり得る。
【００９８】
複数の例が、上記のカードの自動送信を提供してもよい。これは、例えば、機械学習アルゴリズムを使用することによって行うことができ、閾値表を、データに基づき自動的に更新することができ、相関関係を自動的に見つけ、これらの相関関係に基づきカードを送信することができる。
【００９９】
本発明は、図面及び上記の説明において詳細に例示及び記述されてきたけれども、そのような例示及び記述は、例示的又は例証的であり、拘束性はないと考慮されることになる。本発明は、開示された実施形態に限定されない。
【０１００】
開示された実施形態に対する他の変更は、請求された発明を実行する際に、図面、明細書、及び付随の特許請求の範囲の調査から当業者により理解する及びもたらすことができる。特許請求の範囲において、「含む」という用語は、他の要素又はステップを除外せず、不定冠詞はその複数形を除外しない。１つのプロセッサ又は他のユニットが、特許請求の範囲において列挙されたいくつかの項目の機能を満たすことができる。特定の手段が互いに異なる従属項において記載されているという単なる事実は、これらの手段の組合せを役立つよう使用することができないと示しているわけではない。コンピュータプログラムは、他のハードウェアと共に若しくはその一部として供給される、光記憶媒体又は固体記憶媒体等、適したメディア上に格納／分散させてもよいが、インターネット又は他の有線若しくは無線の通信システムを介して等、他の形で分散させてもよい。
【０１０１】
特許請求の範囲におけるいかなる参照番号も、その範囲を限定するとして解釈されるべきではない。
【０１０２】
参照番号のリスト
１００  乳幼児哺乳システム
１０２  ボトル
１０４  スリーブ
１０６  キャップ
１０８  乳首
１１０  電子部品のためのスペース
２００  スリーブ内の電子部品
２０１  ハンドヘルドのテレコミュニケーション装置
２０２  ユーザインタフェース
２０４  哺乳データベースを有するサーバ
２０６  コントローラ
２０８  プロセッサ
２０８’  プロセッサ
２０８’’  プロセッサ
２１０  ハードウェアインタフェース
２１２  センサ
２１２’  環境光センサ
２１２’’  加速度計センサ
２１２’’’  環境音センサ
２１４  無線インタフェース
２１６  メモリ
２１６’  メモリ
２１６’’  メモリ
２１８  無線接続
２２０  ネットワーク接続
２３０  機械実行可能命令
２３２  センサデータ
２３４  哺乳データのデータパケット
２３６  状況データ要求
２３８  質問票のレンダリング
２３８’  質問票のレンダリング
２４０  ユーザ応答
２４２  指示データ
２４３  哺乳指示
２４３’  哺乳指示
２４３’’  哺乳指示
２４３’’’  哺乳指示
２４３’’’’  哺乳指示
２４３’’’’’  哺乳指示
２４４  予め生成された指示データ要素
２４６  哺乳データベース
２４８  状況データ
３００  少なくとも１つのセンサを用いて少なくとも１つの物理的特性を測定することによって、哺乳データを取得する
３０２  哺乳データベースに哺乳データを送信する
３０４  哺乳条件を記述しているユーザ応答をユーザインタフェースから受信する
３０６  ユーザ応答を含む状況データを哺乳データベースに送信する
３０８  状況データ及び哺乳データに応答した哺乳データベースからの指示データを受信する
３１０  指示データを使用して、ユーザインタフェース上に哺乳指示を出力する
４００  哺乳データに応答した哺乳データベースからの状況データ要求を受信する
４０２  状況データ要求の受信に応答して、ユーザインタフェース上に質問票を表示する
５００  ディスプレイ
７００  タイムライン
７０２  取得期間
７０４  哺乳データ
７０６  所定の時間範囲
７０８  活動プロファイル、ノイズプロファイル又は周囲光プロファイル
８００  データ分析
１０００  さらなる情報に対してクリックするための領域
【図１】
2019514527.tif 000003
【図２】
2019514527.tif 000004
【図３】
2019514527.tif 000005
【図４】
2019514527.tif 000006
【図５】
2019514527.tif 000007
【図６】
2019514527.tif 000008
【図７】
2019514527.tif 000009
【図８】
2019514527.tif 000010
【図９】
2019514527.tif 000011
【図１０】
2019514527.tif 000012
【図１１】
2019514527.tif 000013
【図１２】
2019514527.tif 000014
【図１３】
2019514527.tif 000015
【図１４】
2019514527.tif 000016
【図１５】
2019514527.tif 000017
【国際調査報告】
2019514527.tif 000018
2019514527.tif 000019
2019514527.tif 000020